(57)【要約】【課題】装置を大きくすることなしに、入タイマー予約もしくは切タイマー予約を各々複数個行うことが出来ると共に、簡単に複数の入または切タイマーの予約個数を確認することができる空気調和機のリモートコントロール装置を提供する。【解決手段】タイマー表示部６に予約されている入または切タイマー予約数を表示する入または切タイマー予約数表示部６ａと、入または切タイマー番号を表示する入または切タイマー番号表示部６ｂと、該当する入タイマーもしくは切タイマーが予約済みか未予約かを表示するタイマー予約確認表示部６ｇから構成されているため、リモートコントロール装置を大きくしなくてもよく、また簡単に入または切タイマーを複数個予約することが出来、さらにタイマーの予約数を簡単に確認できることが可能となる。【選択図】図１
2006064302.tif 000002
【特許請求の範囲】
【請求項１】
予約した時間に空気調和機の運転を自動的に開始または停止するタイマー予約手段と、予約した時間を表示するタイマー表示手段を有する空気調和機のリモートコントロール装置において、入もしくは切タイマーの時間を各々複数個予約可能であることを特徴とする空気調和機のリモートコントロール装置。
【請求項２】
タイマー表示手段は入タイマー時刻が少なくとも１個予約されている場合、現在の時刻以降の最初に予約時間となる入タイマー予約時間１個を表示する入タイマー表示部と切タイマー時刻が少なくとも１個予約されている場合、現在の時刻以降の最初に予約時間となる切タイマー予約時間を１個を表示する切タイマー表示部より構成される請求項１記載の空気調和機のリモートコントロール装置。
【請求項３】
タイマー表示手段は入または切タイマー時刻が少なくとも１個予約されている場合、入または切タイマーの予約数がボタン操作無しで判別することが可能であることを特徴とする請求項１もしくは２記載の空気調和機のリモートコントロール装置。
【請求項４】
タイマー表示手段は複数の入または切タイマーが別々の入または切タイマー予約時間を有することを判別することが可能とすることを特徴とする請求項１〜３いずれか記載の空気調和機のリモートコントロール装置。
【請求項５】
タイマー表示手段は少なくとも１個の入タイマー予約時間を１個の入タイマー設定用ボタンにより順次入タイマー表示部に表示し、少なくとも１個の切タイマー予約時間を１個の切タイマー設定用ボタンにより順次切タイマー表示部に表示することからなる請求項１〜４いずれか記載の空気調和機のリモートコントロール装置。
【請求項６】
タイマー表示手段は入または切タイマー設定用ボタンにより少なくとも１個の入または切タイマー予約時間が予約済みもしくは未予約の時間であることを判別することを可能とすることを特徴とする請求項１〜５いずれか記載の空気調和機のリモートコントロール装置。
【発明の詳細な説明】
【技術分野】
【０００１】
本発明は、リモートコントロール装置を大きくすることなしに、入タイマー予約もしくは切タイマー予約を各々複数個行うことが出来ると共に、簡単に複数の入または切タイマーの予約個数を確認することができる空気調和機のリモートコントロール装置に関するものである。
【背景技術】
【０００２】
従来の空気調和機のリモートコントロール装置においては、入または切タイマー予約を複数個予約することを可能とするために、複数の入または切タイマー設定ボタンを設け、各々のボタンに対して、入または切タイマー予約時刻を割り当てることにより、予約を可能としていた（例えば、特許文献１参照）。また、１個の入または切タイマー設定ボタンを押下することで予約時間を順次表示していた（例えば、特許文献２参照）。
【特許文献１】特開平７−１８０８９４号公報
【特許文献２】特開平１１−１０８４２６号公報
【発明の開示】
【発明が解決しようとする課題】
【０００３】
しかしながら、特許文献１に開示されているような構成では、複数の入または切タイマーを予約するための複数の入または切タイマー設定ボタンが必要となり、リモートコントロール装置が大きくなる。また、特許文献２に開示されているような構成では、入または切タイマー設定ボタンを押下しなければ、他の入または切タイマー予約時間が表示されないため、入または切タイマーが予約されている個数が分からなかった。
【０００４】
本発明はこのような従来の課題を解決するものであり、リモートコントロール装置を大きくすることなしに、入タイマー予約もしくは切タイマー予約を各々複数個行うことが出来ると共に、簡単に複数の入または切タイマーの予約個数を確認することができる空気調和機のリモートコントロール装置を提供することを目的とするものである。
【課題を解決するための手段】
【０００５】
上記従来の課題を解決するために、本発明の空気調和機のリモートコントロール装置は、予約した時間に空気調和機の運転を自動的に開始または停止するタイマー予約手段と、予約した時間を表示するタイマー表示手段を有する空気調和機のリモートコントロール装置において、入もしくは切タイマーの時間を各々複数個予約可能であることを有するものである。
【０００６】
これによって、複数の入または切タイマー予約をリモートコントロール装置を大きくすることなしに、入タイマー予約もしくは切タイマー予約を各々複数個行うことが出来ると共に、簡単に複数の入または切タイマーの予約個数を確認することができる。
【発明の効果】
【０００７】
本発明の空気調和機のリモートコントロール装置は、複数の入または切タイマー予約をリモートコントロール装置を大きくすることなしに、入タイマー予約もしくは切タイマー予約を各々複数個行うことが出来ると共に、簡単に複数の入または切タイマーの予約個数を確認することができる。
【発明を実施するための最良の形態】
【０００８】
第１の発明は、予約した時間に空気調和機の運転を自動的に開始または停止するタイマー予約手段と、予約した時間を表示するタイマー表示手段を有する空気調和機のリモートコントロール装置において、入もしくは切タイマーの時間を各々複数個予約可能であることを有する。
【０００９】
第２の発明は、タイマー表示手段は入タイマー時刻が少なくとも１個予約されている場合、現在の時刻以降の最初に予約時間となる入タイマー予約時間１個を表示する入タイマー表示部と切タイマー時刻が少なくとも１個予約されている場合、現在の時刻以降の最初に予約時間となる切タイマー予約時間を１個を表示する切タイマー表示部より構成されるていることを特徴とする。
【００１０】
第３の発明は、タイマー表示手段は入または切タイマー時刻が少なくとも１個予約されている場合、入または切タイマーの予約数がボタン操作無しで判別することが可能であることを特徴とする。
【００１１】
第４の発明は、タイマー表示手段は複数の入または切タイマーが別々の入または切タイマー予約時間を有することを判別することが可能とすることを特徴とする。
【００１２】
第５の発明は、タイマー表示手段は少なくとも１個の入タイマー予約時間を１個の入タイマー設定用ボタンにより順次入タイマー表示部に表示し、少なくとも１個の切タイマー予約時間を１個の切タイマー設定用ボタンにより順次切タイマー表示部に表示することを特徴とする。
【００１３】
第６の発明は、タイマー表示手段は入または切タイマー設定用ボタンにより少なくとも１個の入または切タイマー予約時間が予約済みもしくは未予約の時間であることを判別することを可能とすることを特徴とする。
【００１４】
以下、本発明の実施の形態について、図面を参照しながら説明する。なお、この実施の形態によって本発明が限定されるものではない。
【００１５】
（実施の形態１）
本実施の形態の空気調和機のリモートコントロール装置を図１に、システム構成を図２に示す。なお、図１（Ａ）は本発明の実施の形態１における空気調和機のリモートコントロール装置を示す正面図である。
【００１６】
図中、空気調和機は概略、空調すべき空間に配置されている室内機９と屋外に配置された図示されていない室外機と熱媒体の循環路とを有している。室内機９の受信部９ａにワイヤレス式のリモートコントローラ装置１から制御信号を赤外線で送信することにより、空気調和機の運転を制御信号の指令通りに遠隔動作する。リモートコントロール装置はリモートコントロールケース２の正面上部に液晶表示部３とその下方部に操作部４を配置し、図示しない時計を内蔵している。
【００１７】
液晶表示部３は正面上部の各種運転状態を表示する運転状態表示部５とその下方部の現在時刻もしくはタイマー時刻を表示するタイマー表示部６より構成されている。図１（Ｂ）はタイマー表示部６の構成を示すブロック図である。タイマー表示部６は予約されている入タイマー予約数を表示する入タイマー予約数表示部６ａと、入タイマー番号を表示する入タイマー番号表示部６ｂと、現在時刻もしくは入タイマー設定時刻を表示する入タイマー時刻表示部６ｃと、予約されている切タイマー予約数を表示する切タイマー予約数表示部６ｄと、切タイマー番号を表示する切タイマー番号表示部６ｅと、切タイマー設定時刻を表示する切タイマー時刻表示部６ｆと、該当する入タイマーもしくは切タイマーが予約済みか未予約かを表示するタイマー予約確認表示部６ｇとから構成されている。
【００１８】
また、操作部４は正面上部の各種運転状態操作部７とその下方部のタイマー設定操作部８より構成されており、図１（ｃ）はタイマー設定操作部８の構成を示すブロック図である。タイマー設定操作部８は入タイマーを設定するための入タイマー設定ボタン８ａを切タイマーを設定するための切タイマー設定ボタン８ｂと、入もしくは切タイマーの時刻を変更するための時刻変更用すすむボタン８ｃおよびもどるボタン８ｄと、入もしくは切タイマーの時刻を予約するための予約ボタン８ｅと、予約した入もしくは切タイマーを取り消すための取消ボタン８ｆから構成される。
【００１９】
図３は入タイマーを設定する場合の液晶表示部３のタイマー表示部６の変遷を示したフローチャートである。
【００２０】
今、空気調和機を運転もしくは停止させる予約が設定されていない場合で、空気調和機を特定の時刻に運転させる予約を行う場合について図３（Ａ）に基づき説明する。タイマー表示部６はＳ１で示したように入タイマー時刻表示部６ｃで現在時刻のみを表示している（図中、「９：００」と表示）。ここで、タイマー設定操作部８の入タイマー設定ボタン８ａを押下することで入１タイマー設定モードとなる（Ｓ２）。入タイマー番号表示部６ｂには入タイマーの番号１が表示され（図中、「入１」と表示）、あらかじめ設定されている時刻を入タイマー時刻表示部６ｃに表示し（図中、「６：００」と表示）、タイマー予約確認表示部６ｇに「未予約」と表示される。空気調和機を運転したい時刻にすすむボタン８ｃもしくは、もどるボタン８ｄを用いて変更を行う（Ｓ３）。入タイマー時刻表示部６ｃに「６：１０」と表示。空気調和機を運転したい時刻に設定が終了したら、予約ボタン８ｅを押下することによって設定が完了する。このときタイマー表示部６のタイマー予約確認表示部６ｇは「予約」となる（Ｓ４）。その後、一定時間である例えば１５秒間表示を続け、入１タイマー設定モードは終了し、タイマー表示部６は通常表示に戻る（Ｓ５）。入タイマーが少なくとも１個予約されている場合のタイマー表示部６の通常表示は、入タイマー予約数表示部６ａに予約されている入タイマー数を■の数で表示する。また、入タイマー番号表示部６ｂには予約された入タイマー番号を表示し、さらにこの時のタイマー時刻（図中、「６：１０」と表示）を入タイマー時刻表示部６ｃに表示する。タイマー予約確認表示部６ｇは表示しない。
【００２１】
次に、空気調和機を運転もしくは停止させる予約が少なくとも１つの予約が設定されている場合で、空気調和機を更に特定の時刻に運転させる予約を行う場合について図３（Ｂ）に基づき説明する。
【００２２】
タイマー表示部６は（Ｓ５）で示すように、入タイマー予約数表示部６ａに入タイマーが■の数で表示され、入タイマー番号表示部６ｂに予約された入タイマー番号が表示され、入タイマー時刻表示部６ｃにはタイマー時刻が表示されている。ここで、タイマー設定操作部８の入タイマー設定ボタン８ａを押下することで入１タイマー設定モードとなる（Ｓ６）。このとき入１タイマー設定モードに既に予約されている時刻が入タイマー時刻表示部６ｃに表示され（図中、「６：１０」と表示）、タイマー予約確認表示部６ｇには「予約」と表示される。さらに入タイマー設定ボタン８ａを押下すると、入２タイマー設定モードとなり（Ｓ７）、入タイマー番号表示部６ｂには入タイマーの番号２が表示され、あらかじめ設定されている時刻を入タイマー時刻表示部６ｃに表示し（図中、「１８：００」と表示）、タイマー予約確認表示部６ｇに「未予約」と表示される。タイマー予約確認表示部６ｇに予約済みの場合は「予約」を、未だ予約されていない場合は「未予約」を表示することで、予約の有無が簡単に確認できるため、使用者の誤解が発生しなく有用である。
【００２３】
つぎに、空気調和機を運転したい時刻にすすむボタン８ｃもしくは、もどるボタン８ｄを用いて変更を行い（Ｓ８）入タイマー時刻表示部６ｃに「１８：１０」と表示。空気調和機を運転したい時刻に設定が終了したら、予約ボタン８ｅを押下することによって入２タイマーの予約が完了する。このときタイマー表示部６のタイマー予約確認表示部６ｇは「予約」となる（Ｓ９）。その後、一定時間である、例えば、１５秒間表示を続け、入２タイマー設定モードは終了し、タイマー表示部６は通常表示に戻る（Ｓ１０）。このときタイマー表示部６の通常表示は、入タイマー予約数表示部６ａに予約されている入タイマー数を■の数で表示する。このとき入タイマー数を■のような個数で表示するため、入タイマー番号と混合せず、また、特別なボタン操作をしなくとも予約されている数を使用者が簡単に判断できる。また、入タイマー番号表示部６ｂには現在時刻以降で最も近い予約時刻の入タイマー番号を表示し、このときのタイマー時刻を入タイマー時刻表示部６ｃに表示する。このため、次に動作する時刻を特別な操作をすること無しで、簡単に使用者が確認できる。切タイマーの設定方法も前記入タイマーと同様である為、説明を省略する。
【００２４】
以上のようにタイマー設定の液晶表示および操作制御を行うことで、タイマー設定用のボタンや液晶への表示領域を必要以上増やす必要が無いため、リモートコントロール装置が大きくならず、また、簡単に入または切タイマーを複数個予約することが出来、さらにタイマーの予約数を簡単に確認できることが可能となる。
【産業上の利用可能性】
【００２５】
以上のように、本発明にかかる空気調和機のリモートコントロール装置は、タイマー設定用のボタンや液晶への表示領域を必要以上増やす必要が無いため、リモートコントロール装置を大きくしなくても可能であり、また、簡単に入または切タイマーを複数個予約することが出来、さらにタイマーの予約数を簡単に確認できることが可能となるため、空調機器などタイマーによる運転及び停止を扱う機器に適用可能である。
【図面の簡単な説明】
【００２６】
【図１】本発明の実施の形態１における空気調和機のリモートコントロール装置を示す正面図およびブロック図
【図２】本発明の実施の形態１における空気調和機のリモートコントロール装置のシステム構成を示す模式図
【図３】本発明の実施の形態１における空気調和機のリモートコントロール装置の動作の流れを示すフローチャート
【符号の説明】
【００２７】
１  リモートコントロール装置
２  リモートコントロールケース
３  液晶部
４  操作部
５  運転状態表示部
６  タイマー表示部
６ａ  入タイマー予約数表示部
６ｂ  入タイマー番号表示部
６ｃ  入タイマー時刻表示部
６ｄ  切タイマー予約数表示部
６ｅ  切タイマー番号表示部
６ｆ  切タイマー時刻表示部
６ｇ  タイマー予約確認表示部
７  各種運転状態操作部
８  タイマー設定操作部
８ａ  入タイマー設定ボタン
８ｂ  切タイマー設定ボタン
８ｃ  すすむボタン
８ｄ  もどるボタン
８ｅ  予約ボタン
８ｆ  取消ボタン
９  室内機
９ａ  受信部
【図１】
2006064302.tif 000003
【図２】
2006064302.tif 000004
【図３】
2006064302.tif 000005